(57)【要約】  【課題】熟練していないオペレータでも、ホワイトバランスを崩すことなく、適正に色調整を行うことを可能にする。  【解決手段】色温度調整キーを設定し、この押圧に応じて、三原色の２色以上を調整することにより、前記課題を解決する。【選択図】図１
2006101297.tif 000002
【特許請求の範囲】
【請求項１】
光学的に撮影された画像を取得し、この画像にホワイトバランス補正を行う画像処理手段と、
前記画像処理手段が処理した画像を可視像として表示するディスプレイと、
前記画像処理手段が処理した画像の色を調整するための調整入力手段とを有し、
かつ、前記調整入力手段は色温度キーを有し、さらに、前記画像処理手段は、前記色温度キーによる調整が行われた際に、前記画像に三原色の少なくとも２色を調整する色調整を行うことにより、画像の色調整を行うことを特徴とする画像処理装置。
【請求項２】
前記画像処理手段は、画像の撮影光源の色温度を推定し、推定した色温度に応じて画像のホワイトバランス調整を行う請求項１に記載の画像処理装置。
【請求項３】
前記画像処理手段は、色温度キーによる調整が行われた際に、画像のグレー色度がグレーの黒体軌跡に沿って移動するように、前記画像の色調整を行う請求項１または２に記載の画像処理装置。
【請求項４】
光学的に撮影された画像の画像データにホワイトバランス補正を実施するステップ、
色温度キーを設定するステップ、
前記ホワイトバランス補正を行った画像をディスプレイに表示させるステップ、
および、前記色温度キーを用いた入力指示に応じて、前記ホワイトバランス補正が施された画像データに三原色の少なくとも２色を調整する色調整を行うステップ、をコンピュータに実施させるプログラム。
【発明の詳細な説明】
【技術分野】
【０００１】
本発明は、光学的に撮影された画像（その画像データ）を処理する画像処理の技術分野に属し、詳しくは、高度な技術を有さないオペレータであっても、カラーバランスを崩すことなく色調整を行うことができる画像処理装置およびプログラムに関する。
【背景技術】
【０００２】
従来、銀塩写真技術における露光系では、一般にアナログ露光（面露光、直接露光）によってプリントが行われていた。すなわち、現像済みのネガフィルムを所定の焼き付け位置に位置決めして、白色光源（ハロゲンランプ等）からの光を照射し、ネガフィルムからの透過画像を印画紙に結像して露光していた。
【０００３】
これに対して、近年では、デジタル露光を利用する焼き付け装置、すなわち、ネガフィルムやカラーリバーサルフィルム等の写真フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、プリントとするデジタルフォトプリンタが実用化されている。
【０００４】
このようなデジタルフォトプリンタにおいては、画像をデジタル画像データとして取り扱うので、フィルムに撮影された画像のみならず、デジタルカメラ（ＤＳＣ）等で撮影された画像や、ＣＤ−Ｒやフレキシブルディスク、リムーバブルハードディスク（Ｚｉｐ、Ｊａｚ等）等の磁気記録媒体、ＭＯディスク（光磁気記録媒体）等の各種の記録媒体にデジタルデータとして記録された画像データについても、画像処理を施してプリントとして出力することができる。
【０００５】
ところで、カラーネガフィルムに撮影された画像や、デジタルカメラで撮影された画像の撮影状態は、必ずしも一様ではなく、様々な条件で撮影され、影響を受ける。
例えば、撮影光源としては、昼光、蛍光灯、ストロボ光等がある。そのため、撮影された画像が、それぞれの撮影光の色成分（分光波長分布）に影響を受け、色味（カラーバランス）が適正では無い画像が出力される場合もある。
このような不都合を解決するために、ホワイトバランス補正（グレーバランス補正）が行われる。また、ホワイトバランス補正の方法としては、カラーネガフィルムのＬＡＴＤ（Large Area Transmission Density 、大面積平均透過濃度)を測定し、そのＲＧＢ濃度の大小によりプリント光源の光質を変化させることによりプリント上の平均色をグレーに近づける方法や、画像のグレーや肌色の色情報を用いて撮影光源の色温度を推定し、この推定した色温度に応じて、画像の色味が適正になるように画像の色を補正する方法（特許文献１参照）等が知られている。
【０００６】
しかしながら、撮影シーンによっては、必ずしも、ホワイトバランス補正が適正に行われない場合もある。
そのため、フォトプリンタにおいては、通常、仕上がり予想画像（検定画像）をディスプレイに表示して、画像の確認を行ういわゆる検定が行われ、画像の色味が不適正で有る場合には、オペレータ（検定マン）によって、画像の色調整が行われる。
【特許文献１】特開２００３−２０９８５６号公報
【発明の開示】
【発明が解決しようとする課題】
【０００７】
フォトプリンタにおいて、このようなオペレータによる色調整は、通常、Ｃ（シアン）キー、Ｍ（マゼンタ）キー、Ｙ（イエロー）キー等の色調整キーを用い、各色調整キーによる入力に応じて、指示された色の画像（画像データ）を指示された量だけ修正することで行われる。
【０００８】
高い技術を有する熟練したオペレータであれば、このような各色毎に個別に設定された色調整キーを用いて、複数色を、適宜、調整することにより、容易に、最適な色味の画像に仕上げることができる。
しかしながら、十分な技術を持たないオペレータでは、色調整キーの入力による画像の色味の変化を十分に把握できない。そのため、個々の色を調整することにより最適な色味の画像に仕上げることは、非常に困難であり、逆に、色調整によって、画像のカラーバランスが狂ってしまう場合もある。
【０００９】
本発明の目的は、前記従来技術の問題点を解決することにあり、フォトプリンタにおいて、十分な技術を持たないオペレータであっても、簡易な操作で、画像の色調整（カラーバランス調整）を適正に行って、色味の適正な高画質が画像を安定して出力することができる画像処理装置、およびプログラムを提供することにある。
【課題を解決するための手段】
【００１０】
前記目的を達成するために、本発明の画像処理装置は、光学的に撮影された画像を取得し、この画像にホワイトバランス補正を行う画像処理手段と、前記画像処理手段が処理した画像を可視像として表示するディスプレイと、前記画像処理手段が処理した画像の色を調整するための調整入力手段とを有し、かつ、前記調整入力手段は色温度キーを有し、さらに、前記画像処理手段は、前記色温度キーによる調整が行われた際に、前記画像に三原色の少なくとも２色を調整する色調整を行うことにより、画像の色調整を行うことを特徴とする画像処理装置を提供する。
【００１１】
また、本発明のプログラムは、光学的に撮影された画像の画像データにホワイトバランス補正を実施するステップ、色温度キーを設定するステップ、前記ホワイトバランス補正を行った画像をディスプレイに表示させるステップ、および、前記色温度キーを用いた入力指示に応じて、前記ホワイトバランス補正が施された画像データに三原色の少なくとも２色を調整する色調整を行うステップ、をコンピュータに実施させるプログラムを提供する。
【００１２】
このような本発明の画像処理装置およびプログラムにおいて、前記画像処理手段は、画像の撮影光源の色温度を推定し、推定した色温度に応じて画像のホワイトバランス調整を行うのが好ましく、さらに、前記画像処理手段は、色温度キーによる調整が行われた際に、画像のグレー色度がグレーの黒体軌跡に沿って移動するように、前記画像の色調整を行うのが好ましい。
【発明の効果】
【００１３】
上記構成を有する本発明によれば、従来の色調整のように、複数の色調整キーを扱う必要なく、色温度キーによって、１つのキーで複数の色を変更して、ホワイトバランスを保ちつつ画像の色調整を行うことができる。そのため、十分な技術を持たないオペレータであっても、例えば濃度調整による濃度を濃く（足す）／濃度を下げる（引く）のように、単純に色温度を上げる／色温度を下げる等の感覚で、感覚的かつ分かり易く、適正な画像の色調整を行うことができ、色味（カラーバランス）の良好な高画質な画像を安定して出力することが可能になる。
【発明を実施するための最良の形態】
【００１４】
以下、本発明の画像処理装置およびプログラムについて、添付の図面に示される好適実施例を基に、詳細に説明する。
【００１５】
図１に、本発明の画像処理装置の一例の概略をブロック部で示す。
図１に示す画像処理装置１０は、入力画像（入力画像データ）に必要な画像処理を施して、出力用の画像（出力画像（出力画像データ））とするものであり、画像処理手段１２と、色／濃度調整キーボード１４と、ディスプレイ１６とを有して構成される。このような画像処理装置１０は、例えば、前述のデジタルフォトプリンタ（デジタルミニラボ機）の画像処理装置（イメージプロセサ）を構成する。
【００１６】
本発明の画像処理装置１０において、入力画像には、特に限定はなく、例えば、ネガ／ポジの写真フィルムに撮影された画像を光電的に読み取ることで得られた画像であってもよく、デジタルカメラで撮影された画像であってもよい。
【００１７】
色／濃度調整キーボード１４は、画像の色および濃度調整を指示入力するためのものである。図示例においては、シアン（Ｃ）調整キー２０（＋Ｃキー２０ａおよび−Ｃキー２０ｂ）、マゼンタ（Ｍ）調整キー２２（＋Ｍキー２２ａおよび−Ｍキー２２ｂ）、イエロー（Ｙ）調整キー２４（＋Ｙキー２４ａおよび−Ｙキー２４ｂ）、色温度（Ｔ）調整キー２６（＋Ｔキー２６ａおよび−Ｔキー２６ｂ）の４種の色調整キー、ならびに濃度（Ｄ）調整キー２８（＋Ｄキー２８ａおよび−Ｄキー２８ｂ）を有する。
色／濃度調整キーボード１４は、本発明の特徴の１つである色温度調子キー２６（＋Ｔキー２６ａおよび−Ｔキー２６ｂ）を有する以外は、基本的に、各種のフォトプリンタ（ミニラボ機）が有する公知の色／濃度調整用のキーボードである。
【００１８】
図示例においては、好ましい一例として、色温度調整キー２６に加え、Ｃ、ＭおよびＹの各色の調整キーを有するが、本発明は、これに限定はされず、色温度調整キー２６あるいはさらに濃度調整キーのみを有するものであってもよい。
【００１９】
ディスプレイ１６も公知のディスプレイであり、画像処理手段１２が処理した画像（ミニラボ機であれば、いわゆる検定画像）の表示や、ＧＵＩ(Graphical User Interface)による各種の操作のための表示等を行う。
【００２０】
図示例の画像処理装置１０は、色／濃度調整を行うための色／濃度調整キーボード１４を有するが、本発明は、これに限定はされず、ディスプレイ１６にシアン調整キー２０、マゼンタ調整キー２２、イエロー調整キー２４、色温度調整キー２６、および濃度調整キー２８等を表示して、ＧＵＩを利用して色および濃度の調整入力手段を構成してもよい。また、この際には、キー（ボタン）に変えて、スライダバーによって色および濃度の調整入力手段を構成してもよい。
本発明において、調整入力手段は、キーボードおよびＧＵＩの両者を有してもよく、あるいは、何れか一方のみを有するものでもよい。
【００２１】
画像処理手段１２は、入力画像に必要な画像処理を施し、さらに色／濃度調整キーボード１４によって入力された色／濃度調整に応じて画像の色／濃度調整を行って、出力用の画像とするものであり、画像補正手段３２と色／濃度調整手段３４とを有する。また、画像補正手段３２は、ホワイトバランス（ＷＢ）補正手段３６を有する。
また、画像処理手段１２は、必要に応じて、入力画像にｌｏｇ変換、ネガ／ポジ変換、オフセット補正、暗時補正、シェーディング補正等のデータ処理を施してもよい。
【００２２】
画像補正手段３２は、ＷＢ補正手段３６によるＷＢ補正を含んで、入力画像に必要な画像補正を施すものである。
画像補正手段３２による画像補正（画像処理）には、特に限定はなく、各種のものが実施可能である。一例として、画像の拡大／縮小（電子変倍処理）、階調補正、濃度補正、彩度補正、シャープネス処理、覆い焼き処理（画像（濃度）ダイナミックレンジの圧縮／伸長）、色空間の変換処理、赤目補正、ゴミ／傷消し処理等が例示される。また、これらの画像補正は、公知の方法で行えばよい。
【００２３】
ＷＢ補正（グレーバランス補正）とは、画像の色バランスを補正する色補正である。
前述のように、写真フィルムへの画像撮影やデジタルカメラでの画像撮影における撮影は、平均的な昼光、晴天、曇り、蛍光灯、ストロボ撮影等の様々な光源の下で行われる。
光が有する波長成分は、光源によって異なる。そのため、撮影光源によっては、光源から照射される光の色味（波長成分）が異なり、この色味が画像に反映されてしまい、色味（色バランス）が不適正な画像となってしまう。
ＷＢ補正は、このような不都合を解消するために行われるもので、例えば、画像中のグレーや白が適正な無彩色になるように、画像の色バランスを調整する補正である。
【００２４】
ＷＢ補正の方法には、特に限定はなく、いわゆるＬＡＴＤ（Large Area Transmission Density 、大面積平均透過濃度)を利用する方法のように、画像の大面積の濃度を測定して、画像上の平均色をグレーに近づけるように画像の色味を補正する方法等、公知の方法が利用可能である。
図示例においては、好ましい態様として、ＷＢ補正手段３６は、画像中のグレーおよび／または肌色の色情報を用いて、撮影光源の色温度を推定し、推定した色温度を白色基準の色温度（一例として５５００Ｋ）に変換する補正条件を求め、この条件で画像を補正することにより、ＷＢ補正を行う。具体的には、撮影光源の色温度を推定して、推定した撮影光源の色温度のグレー色度（色度座標（ｒ，ｂ））を、白色基準の色温度のグレー色度と一致させる補正条件を設定して、この補正条件で画像を補正することにより、ＷＢ補正を行う。このホワイトバランス補正方法に関しては、前記特許文献１（特開２００３−２０９８６６号公報）に詳述されている。
【００２５】
色／濃度調整手段３４は、前記色／濃度調整キーボード１４の各キーによる調整入力に応じて、画像補正手段３２が補正した画像の色／濃度を調整するものである。
すなわち、例えば＋Ｃキー２０ａが押された場合には、その押圧回数に応じて画像のＣ濃度を向上するように画像を調整し、−Ｙキー２４ｂが押された場合には、その押圧回数に応じて画像のＹ濃度を低くするように画像を調整する。また、＋Ｄキー２８ａが押された場合には、その押圧回数に応じて画像の濃度を向上し、−Ｄキー２８ｂが押された場合には、その押圧回数に応じて画像の濃度を低減する。
シアン調整キー２０、マゼンタ調整キー２２、イエロー調整キー２４、および濃度調整キー２８による入力に応じた画像の色／濃度調整は、例えば、通常のデジタルフォトプリンタ等で実施されている方法等、公知の方法によればよい。
【００２６】
これに対し、色温度調整キー２６（＋Ｔキー２６ａおよび−Ｔキー２６ｂ）による色調整（以下、色温度調整とする）が入力された場合には、色／濃度調整手段３４は、画像のＣ濃度およびＹ濃度を調整する色調整を行うことにより、画像のホワイトバランスを保ちつつ画像の色調整を行う。
図示例においては、色温度調整は、ＷＢ補正手段３６がＷＢ補正で推定した撮影光源の色温度を基準として、色温度調整キー２６の押圧回数に応じて、ＷＢ補正手段３６による推定色温度を変更した際のＷＢ補正と同様になるように、画像の色を調整する。
【００２７】
以下、図２のフローチャートを参照して画像処理装置１０の作用を説明することにより、色温度調整キー２６を用いた色温度調整および本発明について、より詳細に説明する。
また、本発明のプログラムは、コンピュータに以下の作用を実施させるプログラムである。なお、本発明のプログラムにおいては、前述のような前記ディスプレイ表示による各色／色温度／濃度調整キーの表示や、コンピュータが有するキーボードへの各色／色温度／濃度調整キーの割り当て等を行うことにより、色／濃度調整キーボード１４に変えて調整入力手段を設定する。
【００２８】
画像を取得したら、まず、画像補正手段３２が前述のように画像に所定の画像補正を施す。この画像補正には、ＷＢ補正手段３６によるＷＢ補正も含まれており、すなわち、画像の撮影光源を推定して、撮影光源の色温度のグレー色度が白色基準（５５００Ｋ）の色温度のグレー色度に一致するように、画像の色を補正するＷＢ補正が行われる。
下記表１に、各色温度におけるグレー色度およびＷＢ補正量の一例を示す。
【００２９】
【表１】
2006101297.tif 000003
【００３０】
この例においては、例えば、撮影光源の色温度を４０００Ｋと推定した場合には、ＷＢ補正手段３６は、４０００Ｋのグレー色度（０．４４，０．２２）を、基準である５５００Ｋのグレー色度（０．３３，０．３３）に一致させるように、Ｃを３．８増加しＹを６．２減少するように、画像の色を補正してＷＢ補正を行う。
また、撮影光源の色温度を８０００Ｋと推定した場合には、ＷＢ補正手段３６は、４０００Ｋのグレー色度（０．２５，０．４４）を、基準である５５００Ｋのグレー色度（０．３３，０．３３）に一致させるように、Ｃを３．０減少しＹを４．９増加するように、画像の色を補正して、ＷＢ補正を行う。
なお、このＣおよびＹのＷＢ補正量とは、シアン調整キー２０およびイエロー調整キー２４の押圧回数に相当する補正量である。すなわち、上記「Ｃを３．８増加しＹを６．２減少」する画像の色補正とは、＋Ｃキー２０ａを３．８回、−Ｙキー２４ｂを６．２回、それぞれ押圧して色調整を行った際の調整量に相当する。一例として、色調整キーを一回押圧すると、濃度換算値で０．０３変動する設定であれば、「Ｃを３．８増加しＹを６．２減少」する補正とは、「３．８×０．０３＝０．１１４、−６．２×０．０３＝−０．１８６」で、濃度換算値でＣを０．１１４増加し、Ｙを０．１８６減少するように、画像の色を補正するものである。
【００３１】
画像補正手段３６による画像補正が終了したら、補正済の画像をディスプレイ１６に表示して、オペレータによる画像の確認（検定）が行われる。
画像が適正（検定ＯＫ）であれば、出力指示が出され、出力画像を出力し、この画像の処理を終了する。
【００３２】
画像が不適正な場合には、色／濃度調整キーボード１４によって、画像の色／濃度が調整される。
濃度調整を行う場合には、前述のように濃度調整キー２８が押される。色／濃度調整手段３４は、前述のように、これに応じて、画像の濃度を上げ、あるいは低減する。
また、色調整において、シアン調整キー２０、マゼンタ調整キー２２およびイエロー調整キー２４が押された場合には、色／濃度調整手段３４は、前述のように、押された色調整キーに応じて、画像のＣ濃度を上げあるいは下げ、Ｍ濃度を上げあるいは下げ、Ｙ濃度を上げあるいは下げる。
【００３３】
これに対し、色温度調整キー２６が押された場合には、色／濃度調整手段３４は、以下のようにして、画像のＣ濃度およびＹ濃度を調整することにより、画像のホワイトバランスを保ちつつ、色温度調整を行う。
なお、以下の例は、構成を明瞭にし、かつ理解を容易にするために、ＷＢ補正および色温度調整を、色温度１０００Ｋ（５０００〜６０００Ｋでは５００Ｋ）刻みで説明するが、本発明は、これに限定されないのは、もちろんである。
また、図示例の装置において、色温度が３０００〜５０００Ｋの間、および、６０００〜１００００Ｋの間は、１回の色温度調整キーの押圧は１０００Ｋに相当し、色温度が５０００〜６０００Ｋの間は、１回の色温度調整キーの押圧は１０００Ｋに相当するが、本発明は、これにも限定はされないのは、もちろんである。
【００３４】
前述のように、色温度調整は、ＷＢ補正手段３６が推定した撮影光源の色温度を基準にして行う。
一例として、ＷＢ補正手段３６が画像の撮影光源を４０００Ｋと推定して、ＷＢ補正を行い、この画像を見たオペレータが、画像が赤い（すなわち、色温度が低い）と判断して、色温度調整キー２６の＋Ｔキー２６ａを１回押圧したとする。すなわち、画像処理装置１０においては、この入力指示は、推定した撮影光源の色温度を４０００Ｋから１０００Ｋ上げて、５０００Ｋに変更する指示と言うことができる。
前述のように、撮影光源の色温度を４０００Ｋと推定した場合には、ＷＢ補正手段３６は、Ｃを３．８増加しＹを６．２減らすように、画像の色を補正してＷＢ補正を行う。一方、前記表１に示すように、撮影光源の色温度を５０００Ｋと推定した際には、Ｃを１．０増加しＹを１．６減らすように、画像の色を補正してＷＢ補正を行う。
【００３５】
表１に示すように、両者の補正量の差は、Ｃが２．８で、Ｙが４．６である。従って、この差分だけＣおよびＹを補正することで、撮影光源の色温度を５０００Ｋと推定した際のＷＢ補正と同様の画像とするこができる。
色／濃度調整部３４は、これに応じて、Ｃを２．８減らし、Ｙを４．６増やすように、画像の色を調整する。
【００３６】
この後、オペレータが、さらに＋Ｔキー２６ａを１回押圧したとする。すなわち、ＷＢ補正で推定した撮影光源の色温度をさらに上げて、５５００Ｋとする指示となる。
表１に示すように、５０００Ｋと５５００ＫとにおけるＷＢ補正量の差は、Ｃが１．０で、Ｙが１．６である。色／濃度調整部３４は、これに応じて、さらに、Ｃを１．０減らし、Ｙを１．６増やすように、画像の色を調整する。
【００３７】
他方、ＷＢ補正手段３６が画像の撮影光源を８０００Ｋと推定して、ＷＢ補正を行った際に、この画像を見たオペレータが、画像が青い（すなわち、色温度が高い）と判断して、色温度調整キー２６の−Ｔキー２６ｂを１回押圧したとする。すなわち、ＷＢ補正で推定した撮影光源の色温度を１０００Ｋ下げて、７０００Ｋとする指示となる。
前述のように、撮影光源の色温度を８０００Ｋと推定した場合には、Ｃを３．０減少しＹを４．９増やすように、画像の色を補正して、ＷＢ補正を行い、表１に示すように、同７０００Ｋと推定した場合には、Ｃを２．１減少しＹを３．４増やすように、画像の色を補正して、ＷＢ補正を行う。
両者の差は、表１に示すように、Ｃが０．９でＹが１．５であるので、色／濃度調整手段３４は、この−Ｔキー２６ｂの押圧に応じて、Ｃを０．９増加し、Ｙを１．５減少するように、画像の色を調整する。
【００３８】
前述のように、図示例の装置におけるＷＢ補正は、推定した撮影光源のグレー色度を白色基準の光源のグレー色度に合わせることにより行う。
従って、このようなＷＢ補正における撮影光源の推定色温度を補正する形で行う、この色温度調整は、画像のグレー色度が、グレーの黒体軌跡に沿って変動するように画像の色を調整するものであり、ホワイトバランスを保った状態で画像の色調整を行うことができる。
【００３９】
以上のような画像調整の結果、画像が適正になったら（検定ＯＫ）、出力指示が出され、色／濃度調整を行った出力画像を出力し、この画像の処理を終了する。
【００４０】
以上の説明より明らかなように、本発明の画像処理装置（プログラム）によれば、複数の色調整キーを扱う必要なく、色温度調整キー２６によって、１つのキーで複数の色を変更することで、画像のホワイトバランスを保ちつつ画像の色調整を行うことができる。そのため、十分な技術を持たないオペレータであっても、単純に色温度を上げる／色温度を下げる等の感覚で、感覚的かつ分かり易く、適正な画像の色調整を行うことができ、色味（カラーバランス）の良好な高画質な画像を安定して出力することが可能になる。
【００４１】
以上、本発明の画像処理装置について詳細に説明したが、本発明は上記実施例に限定はされず、本発明の要旨を逸脱しない範囲において、各種の改良や変更を行ってもよいのは、もちろんである。
【００４２】
例えば、上記実施例は、色温度調整キーによる入力に応じた画像の色調整を、ＣおよびＹ調整することで行ったが、本発明は、これに限定はされず、三元色の２色以上であれば、例えば、Ｃ、Ｍ、およびＹの３色を調整することで、画像のホワイトバランスを保ちつつ画像の色調整を行ってもよい。なお、Ｍは色補正の基準となる場合が多く、この点を考慮すると、色温度調整キーに応じた画像の色調整は、ＣとＹで行うのが好ましい。
また、上記実施例は、本発明をデジタルの画像データの画像処理に利用した例であるが、本発明は、これに限定はされず、フィルムの投影光で印画紙の焼き付けを行う、アナログのフォトプリンタにおける色調整にも利用可能である。この際には、画像データによる色調整に変えて、色温度キーによる入力指示に応じた、例えばＣフィルタおよびＹフィルタの挿入量を設定すればよい。
【図面の簡単な説明】
【００４３】
【図１】本発明の画像処理装置の一例を概念的に示すブロック図である。
【図２】図１に示す画像処理装置の作用を説明するためのフローチャートである。
【符号の説明】
【００４４】
１０  画像処理装置
１２  画像処理手段
１４  色／濃度調整キーボード
１６  ディスプレイ
２０  シアン調整キー
２２  マゼンタ調整キー
２４  イエロー調整キー
２６  色温度調整キー
２８  濃度調整キー
３２  画像補正手段
３４  色／濃度調整手段
３６  ＷＢ（ホワイトバランス）調整手段
【図１】
2006101297.tif 000004
【図２】
2006101297.tif 000005